(57)【要約】      （修正有）【課題】家庭用観賞用水槽の内から外へ配される物質や、様々な機器の配線・配管を束ねて整理し、水槽内の美観を高める、水槽内外の連絡経路部材を備えた換水用パイプを提供する。【解決手段】水槽内外連絡経路部材１３を備えた換水用パイプ１を水槽に固定常設し、水槽内外連絡経路部材１３に水槽内機器の配線を束ね、換水用パイプ１にポンプを繋ぐだけで換水できるようにする。【選択図】図１
2018130069.tif 000002
【特許請求の範囲】
【請求項１】
家庭用観賞用の水槽に固定常設する、水槽水の換水用パイプであって、前記換水用パイプは、前記水槽への固定手段を備え、水槽内外連絡経路部材を備えた、前記水槽内部から前記水槽側壁の上端を越えて前記水槽外部まで至る長さと形状を持つ管状体であり、前記水槽内外連絡経路部材は、前記換水用パイプに沿って確保される細長の空間部である水槽内外連絡用の経路の、前記水槽観賞面側を水槽観賞者から遮蔽し、かつ前記経路を通る水槽内外の連絡物を前記経路内に収めるように、前記経路の外壁の少なくとも一部を成す中空の部材であることを特徴とする、家庭用観賞用水槽に固定常設する、水槽内外連絡経路部材を備えた換水用パイプ。
【請求項２】
前記換水用パイプ途中に開放栓を設けたことを特徴とする、請求項１に記載の、家庭用観賞用水槽に固定常設する、水槽内外連絡経路部材を備えた換水用パイプ。
【請求項３】
前記換水用パイプと水槽内外連絡経路部材の、水槽内に配される部分に、長さ調節手段を設けたことを特徴とする、請求項１または２に記載の、家庭用観賞用水槽に固定常設する、水槽内外連絡経路部材を備えた換水用パイプ。
【請求項４】
前記換水用パイプの水槽内側端の開口部に、容易に着脱可能な、狭小多孔構造の、異物吸い込み防止カートリッジを設けたことを特徴とする、請求項１、２、３のいずれかに記載の、家庭用観賞用水槽に固定常設する、水槽内外連絡経路部材を備えた換水用パイプ。
【請求項５】
前記水槽内外連絡経路部材に、少なくとも１本のエアレーション用パイプを備えたことを特徴とする、請求項１、２、３、４のいずれかに記載の、家庭用観賞用水槽に固定常設する、水槽内外連絡経路部材を備えた換水用パイプ。
【請求項６】
表面部に、家庭用観賞用水槽のアクセサリーの用に供する装飾を施したことを特徴とする、請求項１、２、３、４、５のいずれかに記載の、家庭用観賞用水槽に固定常設する、水槽内外連絡経路部材を備えた換水用パイプ。
【請求項７】
前記換水用パイプに、ポンプを備えたことを特徴とする、請求項１、２、３、４、５、６のいずれかに記載の、家庭用観賞用水槽に固定常設する、水槽内外連絡経路部材を備えた換水用パイプ。
【請求項８】
請求項１、３、５、６のいずれかに記載の、家庭用観賞用水槽に固定常設する、水槽内外連絡経路部材。
【発明の詳細な説明】
【技術分野】
【０００１】
本発明は、家庭用観賞用水槽の内と外の間を通う、様々な機器の配線や物質を、中空の部材内部に設けられた経路に収めることで、水槽観賞者からこれらを遮蔽して美観を高め、水槽内外を整理する、水槽内外連絡経路部材を備えた、家庭用観賞用水槽に固定常設する、水槽水の換水用パイプに関する。
【背景技術】
【０００２】
家庭用観賞用水槽は、飼育する生物の食餌と排泄により水槽水が汚れるため、頻繁に換水して水を入れ替える必要があり、換水を怠ると、水が汚れて観賞価値が低下したり悪臭を放ったりすることがある。  しかし、水の入った水槽は重量があり、また破損し易く容易には移動させられないため、通常は玄関やリビングなど、水槽の設置場所で換水を行う必要がある。  従来は、換水用の器具としてサイホンポンプを備えた換水用パイプ（特許文献１）等が存在し、換水時に水槽の蓋を開け、換水用パイプ等を投入して換水をしていた。
【０００３】
また、現在一般家庭にある観賞用水槽の多くには、様々な機器が設置されている。  一般に普及しているものだけでも、酸素を供給するためのエアレーション用チューブや、水温調節用ヒーター、サーモスタットや温度計のための温度センサー、水中照明、水流モーターなど多数あり、これらはすべて、水槽内に設置する器具と、そこから水槽外まで延びる配線・配管からなる構造となっている。  こうしたむき出しの人工機器や、水槽のそこかしこから這い出る配線・配管を一手にコンパクトに束ね、美しく整理する器具は存在しなかった。  コーナーガード（特許文献２）のような、一部の機器を水槽内から隔絶する目的の仕切り板があるのみであった。
【先行技術文献】
【特許文献】
【０００４】
【特許文献１】特許  特開平１１−３２５０００号
【０００５】
【特許文献２】特許  特開２００７−０８２５１２号
【発明の概要】
【発明が解決しようとする課題】
【０００６】
換水の際に、水槽の蓋の上に設置された照明器具等の機器を取り外し、蓋を開けポンプとホースを投入・操作する手間があった。  またそれらの過程で飛び散った汚水が手・衣服・室内等を汚すことがあった。
【０００７】
また、水槽に設置する機器の数が多くなると、設置や配線・配管の取り回しは複雑化してかさばり、扱い辛くなるとともに美観を損ねていた。
【０００８】
これらを勘案すると、家庭用観賞用水槽は、決して外部との連絡を途絶した密閉箱ではなく、水槽の内と外を連絡する様々な経路を通じて、様々な機器や物質・エネルギーが出入りする中継地点と考えられ、この水槽内外を連絡する機器や物質等が、まとまりなく雑多に混在していることが、水槽の美しさや簡潔さ・清潔さ・管理のし易さなどを損ねていた。  本発明はこれらの課題を解消するためになされたものである。
【課題を解決するための手段】
【０００９】
家庭用観賞用の水槽に固定常設する、水槽水の換水用パイプを作成する。  換水用パイプは、水槽への固定手段を備え、水槽内外連絡経路部材を備えた、水槽内部から水槽側壁の上端を越えて水槽外部まで至る管形状に作成し、水槽内外連絡経路部材は、換水用パイプに沿って確保される細長の空間部である水槽内外連絡用の経路の、水槽観賞面側を水槽観賞者から遮蔽し、かつこの経路を通る水槽内外の連絡物を経路内に収めるように、経路の外壁の少なくとも一部を成す中空の形状に作成する。
【００１０】
請求項２の発明では、この換水用パイプ途中に開放栓を設ける。
【００１１】
また、請求項３の発明では、この換水用パイプと水槽内外連絡経路部材の、水槽内に配される部分に、長さ調節手段を設ける。
【００１２】
また、請求項４の発明では、この換水用パイプの水槽内側端の開口部に、容易に着脱可能な、狭小多孔構造の異物吸い込み防止カートリッジを設ける。
【００１３】
また、請求項５の発明では、この水槽内外連絡経路部材に、少なくとも１本のエアレーション用パイプを備える。
【００１４】
また、請求項６の発明では、表面部に、家庭用観賞用水槽のアクセサリーの用に供する装飾を施す。
【００１５】
また、請求項７の発明では、この換水用パイプに、ポンプを備える。
【００１６】
また、請求項８の発明では、この水槽内外の連絡経路部材のみを単体で作成する。
【発明の効果】
【００１７】
本発明は、水槽内外の出入りを、一手にコンパクトに美しく整理することが可能な器具である。  まず、最も大量かつ頻繁に水槽内外を出入りする、換水時の水槽水について、水槽水の入れ替え経路である本発明換水用パイプが、あらかじめ水槽に固定常設されていれば、水槽の蓋を開けてポンプやホースを投入する過程が必要なく、水槽に固定常設されている本発明換水用パイプの水槽外側端の開口部にポンプを繋ぐことで直ちに換水を始められるので、手間がかからず、手や水槽まわりを汚水で汚すことが少ない。  また、本発明換水用パイプが、水槽の内と外を連絡する、固定常設された経路部材であることから、同じく水槽の内と外を出入りする、水槽に設置された様々な機器の配線・配管等を、この換水用パイプに沿って設けられた、連絡経路に一手に収めることで、水槽内外を出入りする主要なものはすべて本発明のもとに集約できる。  その結果、機器の取り扱いが容易になり、水槽内外がコンパクトに美しく整理される。
【００１８】
換水終了時には、換水用パイプ途中に設けた開放栓を開放すれば、開放栓から侵入した空気が、パイプ内の汚水を押し出してスムーズに排出し、パイプ内に汚水を残すことなく換水を終了できるため、汚水の飛び散りを防いで清潔である。
【００１９】
本発明換水用パイプと水槽内外連絡経路部材の長さ調節手段を用いれば、あらゆるサイズの水槽において、本発明換水用パイプの水槽内側端の開口部を、ゴミの溜まりやすい水槽底部付近等に設置できるため、水槽のサイズにかかわらず容易に固定常設・換水ができる。  
【００２０】
本発明換水用パイプの水槽内側端の開口部に、容易に着脱可能な、狭小多孔構造の異物吸い込み防止カートリッジを設ければ、カートリッジの孔のサイズを最適なものに選定することで、換水時に生物の糞は吸い出すが、それより大きな底砂利は吸い込まないなどの調節も可能となり、容易に換水ができる。
【００２１】
本発明にエアレーション用のパイプを備えれば、エアレーション用チューブパイプを水槽内に引き込む必要がなく、水槽内外の連絡がより簡素に整理される。
【００２２】
また、本発明表面部に鉱物や植物等の自然物を模すなどの装飾を施せば、様々な機器の配線・配管を本発明連絡経路にコンパクトに束ねて覆い隠すだけでなく、水槽内の人工的な外観を持つ機器を一手に覆い隠し、本発明自体は美観を高める自然物様のオブジェとして機能することで、水槽内を美しく整理する効果がさらに高まる。
【００２３】
本発明は、換水時には換水用パイプの水槽外側端の開口部に、石油燃焼機器用注油ポンプや電動ポンプ等をつないで水槽水を排出することを想定しているが、あらかじめポンプを付属した本発明は、換水時に別途ポンプを用意する必要がなく、付属のポンプを作動させて直ちに換水を行うことができるため便利である。
【００２４】
本発明水槽内外連絡経路部材を、換水用パイプに付属せずに単体で使用しても、水槽に設置する機器をコンパクトに束ねて整理し、美観を高める器具として機能する。
【図面の簡単な説明】
【００２５】
【図１】本発明の斜視図である。
【図２】本発明のＡ−Ａ端面図である。
【図３】水槽内外連絡経路部材のアームをクリップタイプとした本発明の端面図である。
【図４】水槽内外連絡経路部材のアームをＯ字型とした本発明の端面図である。
【図５】パイプ状の水槽内外連絡経路部材を表面部側に設けた本発明の端面図である。
【図６】水槽に設置した本発明を水槽観賞面側から見た斜視図である。
【図７】水槽に設置した本発明を水槽背面側から見た斜視図である。
【図８】換水用パイプ開放栓の端面図である。
【図９】水槽に設置する機器を収めた状態の水槽内外連絡経路部材の説明図である。
【発明を実施するための形態】
【００２６】
断面形状が扁平な四角形のパイプ１を硬質プラスチックで作成し、中間辺りをＵ字型２に折り返す。  折り返した上端部にネジ式開放栓３を設ける。  水槽２７内に設置する側にスライド式の長さ調節機構４を設け、その端部に硬質プラスチック製の網状の異物吸い込み防止カートリッジ５をスナップフィットで装着できるようにする。  異物吸い込み防止カートリッジは、網目の細かさの異なる数種類を作成し、使用環境に合わせて容易に取り替えられるようにする。
【００２７】
水槽外に設置する側の端部近く９をＵ字型６に折り返し、その端部７を断面が真円形の末広がりのパイプ１０とし、パイプ内部に軟質クッションを設ける。  また、端部近く９は蛇腹等で折り曲げられる構造としてもよく、端部７はネジ等でかしめる管接続具等を設けてもよい。
【００２８】
パイプ途中の数か所に水槽ガラス面２４に固定するための吸盤１１を設け、水槽側壁上端部２９付近の位置には、水槽側壁２８を掴み固定するためのネジ式クランプ１２を設ける。  固定手段は、他に粘着部材やスナップフィット・磁石などを用いたものでもよい。
【００２９】
水槽内部に設置する部分の観賞面裏側に、水槽内外連絡経路部材１３として、配線等２６を結束できるアーム８を設ける。  アームは硬質プラスチック製の固定アームの他、弾性プラスチックを用いたクリップアーム２１でもよい。  また、アーム形状は一部が開放されているＣ字型２２の他、リング状のＯ字型２３でもよい。  また、アーム以外にパイプ状３１でもよく、ヒンジとツメにより、パイプが開閉する構成でもよい。  内包する温度センサー１８や水中照明１９等の配線等２６を、換水用パイプに沿って配される細長の経路３０内にコンパクトに束ねて、水槽観賞面側から見る観賞者から覆い隠すことのできる、中空の部材であればよい。
【００３０】
換水用パイプに沿って軟質プラスチック製エアレーション用チューブ１４を設け、チューブの水槽内側の端部にはエアストーン２０を設けるか、エアストーン接続口１５を設ける。
【００３１】
連絡経路部材の経路を枝分かれさせ、水温調節用ヒーター専用のカバー１６を作成する。  既成の水槽用ヒーター１７を内部に包含できるよう、長さ２０センチメートル程度、直径３センチメートル程度で、粗網状の筒を、難燃性耐熱硬質プラスチックを用いて作成しヒーター専用カバー１６とする。
【００３２】
本発明表面部２５に、天然の岩石や、天然の流木を模した装飾を施す。  装飾は天然物の他に、人工的な構造物や幾何学模様等でもよく、水槽内のオブジェの用を成すようなものであればよい。  表面部とは、本発明を観賞用水槽２７に設置した際に、水槽観賞面側に立つ水槽観賞者から見ることのできる、本発明観賞面側の表面のことであり、表面部には、換水用パイプが位置する構成でも、水槽内外連絡経路部材が位置する構成でもよい。
【００３３】
水槽外部にサイフォン構造とスポイトを備えた手動式ポンプを設ける。  電動式ポンプを設けてもよい。
【符号の説明】
【００３４】
１    換水用パイプ
２    Ｕ字型に折り返した換水用パイプの中間辺り
３    開放栓
４    スライド式長さ調節機構
５    異物吸い込み防止カートリッジ
６    Ｕ字型に折り返した換水用パイプの水槽外側の端部近く
７    換水用パイプの水槽外側の端部
８    アーム
９    換水用パイプの水槽外側の端部近く
１０  断面が真円形の末広がりのパイプ
１１  吸盤
１２  ネジ式クランプ
１３  水槽内外連絡経路部材
１４  エアレーション用チューブ
１５  エアストーン接続口
１６  ヒーター専用カバー
１７  水槽用ヒーター
１８  温度センサー
１９  水中照明
２０  エアストーン
２１  クリップアーム
２２  Ｃ字型アーム
２３  Ｏ字型アーム
２４  水槽ガラス面
２５  表面部
２６  配線等
２７  観賞用水槽
２８  水槽側壁
２９  水槽側壁上端部
３０  水槽内外連絡経路
３１  パイプ状の水槽内外連絡経路部材
【図１】
2018130069.tif 000003
【図２】
2018130069.tif 000004
【図３】
2018130069.tif 000005
【図４】
2018130069.tif 000006
【図５】
2018130069.tif 000007
【図６】
2018130069.tif 000008
【図７】
2018130069.tif 000009
【図８】
2018130069.tif 000010
【図９】
2018130069.tif 000011